(57)【要約】【課題】作業に係る操作を行う運転席を備えた作業車において、作業者が作業時にヘルメットを装着しても、ヘルメットが接触しない移動式ヘッドレストを提供すること。【解決手段】移動式ヘッドレスト１は、作業車の座席１００に設けられるヘッドレスト本体５と、ヘッドレスト本体５を使用可能な使用位置と、使用しない退避位置との間で、ヘッドレスト本体５を移動可能にする第１回動軸６と、ヘッドレスト本体５を使用位置に保持し、保持状態が解除可能な保持部材７と、を備える。【選択図】図１
2016120763.tif 000002
【特許請求の範囲】
【請求項１】
作業車の座席に設けられるヘッドレスト本体と、
前記ヘッドレスト本体を使用可能な使用位置と、使用しない退避位置との間で、前記ヘッドレスト本体を移動可能にする可動部材と、
前記ヘッドレスト本体を前記使用位置に保持し、保持状態が解除可能な保持部材と、を備える、
移動式ヘッドレスト。
【請求項２】
前記退避位置は、前記使用位置に対して後方又は前記座席の幅方向の外側である、
請求項１に記載の移動式ヘッドレスト。
【請求項３】
前記退避位置は、前記使用位置に対して後方であり、
前記可動部材は、前記座席の幅方向に沿って延在し、前記座席のバックレストと前記ヘッドレスト本体と挿通する回動軸を有し、
前記保持部材は、係止により前記ヘッドレスト本体を保持する係止ツメを有し、
前記ヘッドレスト本体は、係止ツメによる係止が解除されると、前記回動軸を中心として後方に回動可能になる、
請求項１に記載の移動式ヘッドレスト。
【発明の詳細な説明】
【技術分野】
【０００１】
本発明は、移動式ヘッドレストに関し、特に作業車の運転席で操作を行う際に作業者がヘルメットを装着しても、ヘルメットが接触しない移動式ヘッドレストに関する。
【背景技術】
【０００２】
作業に係る操作を運転席で行う作業車において、作業時にはヘルメットの装着が作業者に課せられる場合がある。
しかしながら、ヘルメットの装着が課せられた場合に、ヘルメットがヘッドレストに接触して邪魔になり易いので、従来では作業時にヘッドレストを取外して、運転室内の他の領域にヘッドレストを保管しておくことが多かった。
【０００３】
更に従来では、例えば作業時に走行運転用ヘッドレストから作業用ヘッドレストに交換する自走式クレーンの運転室用座席が知られている（特許文献１参照。）。
【先行技術文献】
【特許文献】
【０００４】
【特許文献１】特開２０１０−１２０７４３号公報
【発明の概要】
【発明が解決しようとする課題】
【０００５】
しかしながら、従来においてはヘッドレストを取外す作業、他の保管領域に設置する作業、及び、走行用ヘッドレストと作業用ヘッドレストとの交換作業が必要であり、各種作業機器を用いる作業の前段階が常に煩雑となっていた。
【０００６】
更に、作業車の運転室の車内空間は、作業者の乗降車、走行に係る操作、及び作業に係る操作等の最低限の動作が可能な程度の領域が確保されているだけであるという場合が多く、上述の様々な作業を行う領域及び取外したヘッドレストを保管する領域を確保することが困難であった。
【０００７】
よって、本発明が解決しようとする課題は、作業に係る操作を行う運転席を備えた作業車において、作業者が作業時にヘルメットを装着しても、ヘルメットが接触しない移動式ヘッドレストを提供することである。
【課題を解決するための手段】
【０００８】
前記課題を解決するための手段として、本発明に係る移動式ヘッドレストは、作業車の座席に設けられるヘッドレスト本体と、前記ヘッドレスト本体を使用可能な使用位置と、使用しない退避位置との間で、前記ヘッドレスト本体を移動可能にする可動部材と、前記ヘッドレスト本体を前記使用位置に保持し、保持状態が解除可能な保持部材と、を備える。
【０００９】
また、本発明に係る移動式ヘッドレストの前記退避位置は、前記使用位置に対して後方又は前記座席の幅方向の外側であるのが好ましい。
【００１０】
また、本発明に係る移動式ヘッドレストの前記退避位置は、前記使用位置に対して後方であり、前記可動部材は、前記座席の幅方向に沿って延在し、前記座席のバックレストと前記ヘッドレスト本体と挿通する回動軸を有し、前記保持部材は、係止により前記ヘッドレスト本体を保持する係止ツメを有し、前記ヘッドレスト本体は、係止ツメによる係止が解除されると、前記回動軸を中心として後方に回動可能になるのが好ましい。
【発明の効果】
【００１１】
本発明によると、ヘッドレスト本体の使用位置への保持状態が解除されると、ヘッドレスト本体が可動部材により使用位置から退避位置に移動可能になる。これにより、作業に係る操作を行う運転席を備えた作業車において、作業者が作業時にヘルメットを装着しても、ヘッドレスト本体を退避位置に移動させておくことによって、ヘルメットがヘッドレスト本体に接触せず、ヘッドレスト本体の取外し作業及び交換作業の必要性が生じない移動式ヘッドレストを提供することができる。
【００１２】
また、操作に係る操作を行う運転席は通常、座席の後方及び座席幅方向の外側に若干の空き領域があることが多い。よって、本発明の好ましい形態によると、このような運転席で空き領域に退避位置を設定することによって、既存の作業車の運転席を大幅に設計変更する必要の無い移動式ヘッドレストを提供することができる。
【００１３】
本発明の他の好ましい形態によると、様々な作業車の運転席において共通して若干の空き領域があることの多い座席の後方に退避位置を設定し、係止ツメの係止状態を解除した上でヘッドレスト本体を後方に倒すだけで、ヘッドレスト本体がヘルメットに接触しなくなる。また、使用位置に戻す作業が後方から前方に戻すだけで完了する。したがって、作業車が安全に走行可能な状態又は作業を行わない状態と、ヘルメットに対するヘッドレスト本体の接触が解消された状態とを、簡便な作業によって実現可能な移動式ヘッドレストを提供することができる。
【図面の簡単な説明】
【００１４】
【図１】本発明の一実施形態である移動式ヘッドレストを備えた座席を示す概略図であり、図１（Ａ）は座席の正面図であり、図１（Ｂ）は座席の一部断面の側面図である。
【図２】移動式ヘッドレストの使用工程を示す説明図である。
【図３】作業者が着座した座席の概略図であり、図３（Ａ）は移動式ヘッドレストが使用位置に配置された状態の座席の一部断面の側面図であり、図３（Ｂ）は移動式ヘッドレストが退避位置に配置された状態の座席の一部断面の側面図である。
【図４】本発明の他の実施形態である移動式ヘッドレストを備えた座席を示す概略図であり、図４（Ａ）は座席の正面図であり、図４（Ｂ）は図４（Ａ）に示す座席の側面図であり、図４（Ｃ）は図４（Ａ）に示す座席の移動式ヘッドレストが移動した状態の正面図である。
【発明を実施するための形態】
【００１５】
以下に、本発明に係るリフト装置について、図面を参照しつつ説明する。
まず本発明の一実施形態に係る移動式ヘッドレスト１の概要について図１〜図３を参照しつつ説明する。図１は本発明の一実施形態である移動式ヘッドレスト１を備えた座席１００を示す概略図であり、図１（Ａ）は座席１００の正面図であり、図１（Ｂ）は図１（Ａ）の座席１００の一部断面の側面図である。図２は、移動式ヘッドレスト１の移動工程を示す説明図である。図３は作業者Ｄが着座した座席１００の概略図であり、図３（Ａ）は移動式ヘッドレスト１が使用位置に配置された状態の座席１００の一部断面の側面図であり、図３（Ｂ）は移動式ヘッドレスト１が退避位置に配置された状態の座席１００の一部断面の側面図である。
【００１６】
図１（Ａ）及び図１（Ｂ）に示すように、座席１００は、移動式ヘッドレスト１と、座面２と、アームレスト３と、バックレスト４とを備えている。本実施形態における座席１００は、ラフテレーンクレーンの運転室内に設置される座席として示している。ラフテレーンクレーンが荷物の揚重作業を行う際には、座席１００に着座して揚重作業に係る操作を行う作業者が揚重状況等を確認するために上方を視認しつつ作業を進める必要がある。
なお、座席１００は、本発明における座席の一例である。
【００１７】
本発明に係る移動式ヘッドレストは、種々の荷物の揚重作業及び搬送作業に係る操作を運転席で行う作業車、例えばラフテレーンクレーン等の移動式クレーンの座席に適用することができる。なお、本発明は、走行に係る操作と各種作業に係る操作とを同一の運転席で行う作業車に限られず、トラッククレーン等の走行用の運転席と作業用の運転席とが別に設けられている作業車にも適用することができる。更に本発明は、掘削作業等を行うことのできる作業車、例えば油圧ショベル等にも適用することができる。
【００１８】
座面２は、図３（Ａ）に示す作業者Ｄが着座する部位である。バックレスト４は、座面２の後端縁部から上方に延在し、作業者Ｄが背中を当てて、もたれかかることのできる部位である。アームレスト３は、バックレスト４の適宜の高さにおいて左右両側から１本ずつ前方に突出する棒状部材であり、作業者Ｄが肘等の上肢を載せることができる。
【００１９】
移動式ヘッドレスト１は、ヘッドレスト本体５と、第１回動軸６と、保持部材７とを備える。
【００２０】
ヘッドレスト本体５は、座席１００の上部に設けられる部材であり、当接部５１、２本の挿入軸５２、及び基部５３を有する。なお、図１（Ａ）及び図１（Ｂ）に示すヘッドレスト本体５は、ヘッドレスト本体５を使用可能な使用位置に配置されている。
ヘッドレスト本体５は、本発明におけるヘッドレスト本体の一例である。
【００２１】
当接部５１は、図３（Ａ）に示すように、ヘッドレスト本体５が使用位置に配置されているときに作業者Ｄの後頭部が当接可能な部位である。当接部５１はバックレスト４の上部から上方に突出して配置される。
挿入軸５２は、当接部５１から突出する棒状部材である。挿入軸５２は２本設けられ、相互に平行となるように配置されている。ヘッドレスト本体５が使用位置に配置されている状態では、図１（Ａ）及び図１（Ｂ）に示すように、挿入軸５２は当接部５１から下方に延在している。挿入軸５２は当接部５１に固定されている。
基部５３は、２本の挿入軸５２が挿入される略板状部材である。基部５３は、挿入軸５２が挿入可能な挿入口を有し、挿入軸５２が挿抜自在になっている。
【００２２】
基部５３は、座席１００の幅方向略中央部においてバックレスト４の後面部の上部に形成された切欠部８に嵌め込まれるように配置されている。切欠部８は、バックレスト４の一部を切り欠いて形成される凹部であり、後方及び上方に開放されている。
【００２３】
第１回動軸６は、その軸線を中心にしてヘッドレスト本体５を回動可能にする部材である。第１回動軸６は、座席１００の幅方向に沿って延在し、座席１００のバックレスト４とヘッドレスト本体５とを挿通する軸体である。図１（Ｂ）に示すように、バックレスト４における切欠部８には、下面部分として底面部８１が形成されている。図１（Ａ）に示すように、第１回動軸６は、底面部８１近傍において切欠部８の左右両面部の間に渡されて配置され、かつ、切欠部８内に配置されるヘッドレスト本体５の基部５３の下端近傍部位を貫通している。
基部５３、第１回動軸６及び切欠部８等の組合せによって、ヘッドレスト本体５を使用可能な使用位置と、使用しない退避位置との間で、ヘッドレスト本体５が移動可能になっている。
第１回動軸６は、本発明における可動部材及び回動軸の一例である。
【００２４】
また、図１（Ｂ）に示すように、基部５３の第１回動軸６が貫通している部位の後方には、規制部９が水平面に対する傾斜面として形成されている。規制部９及び底面部８１は、ヘッドレスト本体５が退避位置に配置された場合に、ヘッドレスト本体５の姿勢を決定する部位である。規制部９及び底面部８１については、図２を参照する移動形態の説明と共に後述する。
【００２５】
保持部材７は、図１（Ａ）及び図１（Ｂ）に示すように、ヘッドレスト本体５を使用位置に保持し、保持状態が解除可能な部材であり、解除レバー７１、第２回動軸７２、及び係止ツメ７３を有する。なお、図１（Ａ）及び図１（Ｂ）に示す保持部材７は、ヘッドレスト本体５を使用位置に保持している。
保持部材７は、本発明における保持部材の一例である。
【００２６】
解除レバー７１は、バックレスト４の左側面部近傍に配置される略棒状部位であり、ヘッドレスト本体５の保持状態を解除する際に作業者が把持して操作される。
第２回動軸７２は、バックレスト４の左側から切欠部８まで挿通する軸体であり、長軸を中心にして回動可能な部材である。
係止ツメ７３は、ヘッドレスト本体５の基部５３の左側において固定的に付設される固定ツメ１０に対して係止可能な部材である。係止ツメ７３は、固定ツメ１０に対する係止によってヘッドレスト本体５を保持する。係止ツメ７３及び固定ツメ１０はいずれも鉤状部材であり、鉤部分が相互に咬み合って係止状態となっている。
第２回動軸７２の一端部に解除レバー７１が固定的に取付けられ、他端部に係止ツメ７３が固定的に取付けられている。よって、解除レバー７１を第２回動軸７２の軸線を中心にして回動させると、係止ツメ７３も回動する。
【００２７】
なお、図１（Ａ）及び図１（Ｂ）に示すように、保持部材７は、第２回動軸７２又は係止ツメ７３の周辺部位に付勢部材Ｓが付設されることによって、保持部材７が回動しても回動のための応力の作用を解除すれば、付勢部材Ｓの付勢力によって図１（Ａ）及び図１（Ｂ）に示す姿勢に復元するようになっている。本実施形態において付勢部材Ｓは、トーションバネを採用しており、一端部が係止ツメ７３に巻き付けるようにして固定され、螺旋部分が第２回動軸７２の周面に沿って配置され、他端部をバックレスト４に固定されている。これにより、係止ツメ７３が固定ツメ１０に対して一旦係止状態となれば、付勢部材Ｓの付勢力によって該係止状態を維持することとなる。
【００２８】
次に、図２及び図３を参照しつつ、移動式ヘッドレスト１におけるヘッドレスト本体５の移動形態について説明する。
【００２９】
図２（Ａ）は図１(Ｂ)に示した状態と同状態であり、ヘッドレスト本体５が使用位置に配置されている。また、係止ツメ７３が固定ツメ１０に対して係止されていることによって、ヘッドレスト本体５が使用位置に保持されている。
【００３０】
ヘッドレスト本体５が使用位置に配置されているときに、図３（Ａ）に示すように座席１００に作業者Ｄが着座すると、作業者Ｄの後頭部がヘッドレスト本体５の当接部５１に当接可能である。つまり、作業者Ｄは、ヘッドレスト本体５の当接部５１に後頭部をもたせかけることにより、ヘッドレスト本体５を使用することができる。
【００３１】
作業者Ｄがヘッドレスト本体５を使用する状況としては、例えば作業者Ｄは図３（Ａ）に示すように後述のヘルメットＨを装着せず、走行に係る操作を行う状況等を挙げることができる。作業車の走行時には基本的にヘルメットＨは装着しないことが多いので、ヘッドレスト本体５が使用位置に配置されていても問題は生じない。更に、長時間の走行時には、作業者Ｄがヘッドレスト本体５の当接部５１に後頭部をもたせかけて走行運転をすることもあるので、ヘッドレスト本体５が使用位置に配置されている図３（Ａ）に示す状態が作業車の走行時に好適である。
【００３２】
次いで移動式ヘッドレスト１におけるヘッドレスト本体５を移動させるには、先ず図２（Ｂ）に示すように、保持部材７の解除レバー７１を前方に起こすようにして回動させる。解除レバー７１が回動すると、解除レバー７１が一端部に取付けられている第２回動軸７２が回動する。第２回動軸７２が回動すると、第２回動軸７２の他端部に固定的に取付けられている係止ツメ７３が回動する。係止ツメ７３が回動すると、図２（Ａ）に示す係止状態であった係止ツメ７３と固定ツメ１０とは離れる。これにより係止状態が解除され、結果として保持部材７によるヘッドレスト本体５の保持状態が解除されることとなる。
【００３３】
ヘッドレスト本体５の保持状態が解除されることによって、ヘッドレスト本体５は可動部材である第１回動軸６によって移動可能な状態となる。保持状態が解除されている間にヘッドレスト本体５を後方に押圧すると、図２（Ｃ）に示すように、ヘッドレスト本体５が第１回動軸６を中心にして後方に倒れるように回動する。
なお、本発明においては、使用位置に配置された状態での基部５３の上部を本実施形態よりも更に後方に傾斜させた姿勢にすることもできる。これにより、解除レバー７１を回動させることによってヘッドレスト本体５の保持状態が解除されたときに、ヘッドレスト本体５を後方に押圧しなくともヘッドレスト本体５の自重で後方に倒れるようになる。よって、ヘッドレスト本体５を使用位置から退避位置まで移動させる工程について、より一層簡略化を図ることができる。
【００３４】
図２（Ｃ）に示すヘッドレスト本体５は退避位置に配置されている。ヘッドレスト本体５が退避位置に配置されているときに、図３（Ｂ）に示すように座席１００にヘルメットＨを装着した作業者Ｄが着座すると、ヘルメットＨがヘッドレスト本体５の当接部５１に当接しない。つまり、退避位置にあるヘッドレスト本体５の当接部５１はヘルメットＨに接触しないので、作業者Ｄはヘッドレスト本体５を使用しない状態である。
【００３５】
作業者Ｄがヘッドレスト本体５を退避位置に移動させる状況としては、例えば作業者ＤがヘルメットＨを装着し、作業に係る操作を行う状況等を挙げることができる。作業者Ｄが行う作業に係る操作としては、本実施形態における座席１００はラフテレーンクレーンの運転室に設置されることを想定しているので、例えば種々の荷物の揚重作業及び搬送作業等を挙げることができる。
なお、本発明がラフテレーンクレーン以外のクレーン車に適用される場合に作業者Ｄが行う作業に係る操作も揚重作業及び搬送作業を挙げることができ、油圧ショベルに適用される場合の操作としては、例えば掘削作業等を挙げることができる。
【００３６】
ここで、ヘッドレスト本体５は、ヘッドレスト本体５の規制部９と切欠部８の底面部８１とが当接するまで回動可能である。規制部９及び底面部８１の形状、角度及び寸法、運転室内の空き領域の大きさ等に応じて、ヘッドレスト本体５の回動範囲が決定される。ヘッドレスト本体５の回動範囲は、作業者ＤのヘルメットＨがヘッドレスト本体５の当接部５１に接触しない位置までは少なくとも回動可能に設定するのが良い。
【００３７】
続いて、ヘッドレスト本体５を退避位置から使用位置に戻すには、図２（Ｄ）に示すように、ヘッドレスト本体５を前方に引き起こす。これによって、ヘッドレスト本体５が第１回動軸６を中心にして前方に起き上がるように回動し、係止ツメ７３が固定ツメ１０に対して再度係止状態になる。
【００３８】
係止ツメ７３が固定ツメ１０に対して再度係止状態になると、次に解除レバー７１が操作されて係止状態が再度解除されるまで、第１回動軸６に作用する付勢部材Ｓの付勢力によって係止状態が維持される。
【００３９】
作業者Ｄが座席に着座した状態で適宜の作業に係る操作を行う場合、ヘルメットＨの装着義務を課せられていることが多い。ヘルメットＨは作業者Ｄの後頭部よりも更に後方に突出するので、使用位置に配置されるヘッドレスト本体５、つまり既存のヘッドレストにヘルメットＨの後部が接触してしまう。更に、揚重作業等の上方を視認しつつ進める作業を行う場合、作業者Ｄの後頭部及びヘルメットＨがより一層後方に押し出されるので、既存のヘッドレストにヘルメットＨが強く接触することによって、作業者Ｄの頭部前方にヘルメットＨがズレてしまい、視界の確保及び作業の継続が困難であった。
【００４０】
そこで従来では、例えば作業中だけ当接部５１と挿入軸５２とをバックレスト４から抜去して保管しておき、走行時に再度当接部５１及び挿入軸５２をバックレスト４に取付ける方法、又は、走行用ヘッドレストと作業用ヘッドレストとを適宜に交換する方法等を採ることによって、ヘルメットＨとヘッドレストとの接触を防いでいた。
【００４１】
しかしながら、作業車では車内空間を広く確保されていることが少ないので、ヘッドレストを取外す作業領域、取外したヘッドレストの保管領域、及び、走行用ヘッドレストと作業用ヘッドレストとを交換する作業領域等を確保することは困難であった。
なお、座席１００の後方及び座席１００の幅方向外側には、上記保管領域及び上記交換作業領域にはなりにくいが、若干の空き領域があることが多い。
【００４２】
これに鑑みて、座席１００における移動式ヘッドレスト１は、使用位置に保持されたヘッドレスト本体５が、保持状態を解除されると後方に回動することで、退避位置に移動可能になっている。図２（Ｃ）及び図３（Ｂ）に示す退避位置までヘッドレスト本体５を移動させることによって、ヘルメットＨがヘッドレスト本体５の当接部５１に接触しなくなる。
したがって本実施形態は、ヘッドレスト本体５を使用して安全走行が可能な状態と、ヘルメットＨに対するヘッドレスト本体５の接触が解消された状態とを、簡便な作業によって実現可能である。なお、走行用の運転席と作業用の運転席とが別に設けられる作業車に対して本発明を適用する場合に、走行状態又は作業を行わずに作業者がヘルメットを着用しない状態ではヘッドレスト本体を使用位置に保持しておき、作業に係る操作を行う状態ではヘッドレスト本体を退避位置まで簡便な作業によって移動させることができる。
また、本実施形態を作業車に適用する場合に、既存の作業車の座席周辺にある若干の空き領域を利用することができるので、大幅に設計変更する必要が無い。
【００４３】
本実施形態においては、ヘッドレスト本体５を退避位置に配置する作業として、解除レバー７１を回動させてヘッドレスト本体５を後方に押し倒すだけで済むので、大きな作業領域が不要である。更に、従来行っていた作業、例えばヘッドレスト本体５の取外し作業、取外したヘッドレスト本体５を保管領域に設置する作業、及び、走行用ヘッドレストと作業用ヘッドレストとの交換作業等が不要であるので好ましい。
【００４４】
次に、図１〜図３に示した実施形態の変形例を図４に示す。
図４は本発明の他の実施形態である移動式ヘッドレスト１１を備えた座席１０１を示す概略図であり、図４（Ａ）は座席１０１の正面図であり、図４（Ｂ）は図４（Ａ）に示す座席１０１の側面図であり、図４（Ｃ）は図４（Ａ）に示す座席１０１の移動式ヘッドレスト１１が移動した状態の正面図である。
【００４５】
図４に示す実施形態と図１〜図３に示した実施形態との相違点は、可動部材、保持部材、切欠部及び移動形態である。この相違点以外は、図１〜図３に示した実施形態と同一部材を用いているので、共通する部材については同一の参照符号を付し、詳細な説明は省略する。
【００４６】
図４に示す実施形態においては、可動部材として滑動部材６０を設けている。また、保持部材として、回動ストッパ７０を設けている。図４に示すように、切欠部８０は上記切欠部８よりも左側がバックレスト４の側面部まで大きく切り欠かれて形成されている。更に、図４に示す実施形態におけるヘッドレスト本体５の移動形態は、座席１０１の幅方向に沿ってスライドする形態である。
【００４７】
滑動部材６０は、案内部材６０１と摺動部材６０２とを有する。また、切欠部８０の底面部８０１は、座席１０１の幅方向において、ヘッドレスト本体５の下端部の右方近傍からバックレスト４の側面部に達するまで略水平面として延在している。
案内部材６０１は、座席１０１の幅方向において、底面部８０１の略全域に亘って延在する長尺状部材である。特に図４（Ｂ）に示すように、案内部材６０１の側面部には凹状の溝部が形成されている。案内部材６０１の延在長さは、ヘッドレスト本体５が移動する範囲を決定する。
摺動部材６０２は、ヘッドレスト本体５における基部５３の下面部に設けられ、案内部材６０１に対する係合及び摺動が可能な部材である。具体的には、摺動部材６０２は、案内部材６０１の上面部及び側面部の一部を覆うように配置され、案内部材６０１の側面部に形成される溝部に対して係合可能な凸部を有する。摺動部材６０２は案内部材６０１に対して案内部材６０１の延在方向に沿って円滑に摺動可能である。摺動部材６０２は案内部材６０１との接触部位において直線運動を可能にする循環型のベアリングを有することによって、案内部材６０１に対して円滑な摺動が可能になっている。
案内部材６０１及び摺動部材６０２を有する滑動部材６０としては、例えばいわゆるリニアガイド等を用いるのが好ましい。
【００４８】
回動ストッパ７０は、回動によってヘッドレスト本体５を押さえる部位が切り換え可能な部材であり、外側ストッパ７０１、回動軸７０２、及び内側ストッパ７０３を有する。回動ストッパ７０は、上記保持部材７の解除レバー７１と同様の部材を回動軸７０２の両端に固定的に取付けた部材である。つまり、外側ストッパ７０１と内側ストッパ７０３とは、図４（Ｂ）に示すように回動軸７０２に対する取付角度が相違するだけであり、両部材共に作業者が把持可能な程度の略棒状部材である。
回動軸７０２には上述した付勢部材Ｓは付設されていないので、外側ストッパ７０１を把持して回動ストッパ７０を回動させると、回動ストッパ７０は回動させた姿勢を維持するようになっている。
【００４９】
図４に示す実施形態において、ヘッドレスト本体５の使用位置への保持は、特に図４（Ａ）に示すように、内側ストッパ７０３が基部５３の左側面部に当接することによって実現している。この状態では、内側ストッパ７０３がヘッドレスト本体５を左側から押さえることによって、ヘッドレスト本体５が座席１０１の幅方向の移動、特に左側への移動を阻止している。
【００５０】
ここで、図４に示す実施形態におけるヘッドレスト本体５の移動について説明する。
【００５１】
図４に示す実施形態においてヘッドレスト本体５を移動させるには、先ず外側ストッパ７０１を、図４（Ｂ）に示す矢印の方向に回動軸７０２を中心として回動させる。外側ストッパ７０１を回動させると、内側ストッパ７０３も回動する。これにより、内側ストッパ７０３がヘッドレスト本体５における基部５３の側方に当接しなくなる。よって、ヘッドレスト本体５の保持状態が解除される。
【００５２】
次いで、ヘッドレスト本体５を左方に押圧することによって、基部５３の下方に設けられる滑動部材６０の摺動部材６０２が案内部材６０１上を円滑に摺動する。これにより、ヘッドレスト本体５は左方にスライドする。
図４に示す実施形態におけるヘッドレスト本体５の退避位置は、基部５３の左側面部に外側ストッパ７０１が当接する位置である。ヘッドレスト本体５が退避位置まで移動すると、外側ストッパ７０１がヘッドレスト本体５を左側から押さえることによって、ヘッドレスト本体５の座席１０１の幅方向への更なる移動、特に左側へ脱落することを防止している。
【００５３】
特に図４（Ｂ）に示すように、回動ストッパ７０の回動前後のいずれであっても、外側ストッパ７０１又は内側ストッパ７０３が、案内部材６０１に沿った基部５３の軌道上に配置される。これにより、ヘッドレスト本体５が使用位置及び退避位置のいずれに配置されていても、外側ストッパ７０１又は内側ストッパ７０３によって押さえ機能が発揮することができる。
【００５４】
図４に示す実施形態においては、ヘッドレスト本体５が退避位置に移動すると、座席１０１の幅方向中央部から当接部５１が外れた位置に移動するので、図３に示したようなヘルメットＨがヘッドレスト本体５の当接部５１に接触しなくなる。
したがって図４に示す実施形態は、ヘッドレスト本体５を使用して安全走行が可能な状態と、ヘルメットＨに対するヘッドレスト本体５の接触が解消された状態とを、簡便な作業によって実現可能である。
また、図４に示す実施形態を作業車に適用する場合に、既存の作業車の座席周辺にある若干の空き領域を利用することができるので、大幅に設計変更する必要が無い。
【００５５】
図４に示す実施形態においては、ヘッドレスト本体５を退避位置に配置する作業として、外側ストッパ７０１を回動させてヘッドレスト本体５を左方にスライドさせるだけで済むので、大きな作業領域が不要である。更に、従来行っていた作業、例えばヘッドレスト本体５の取外し作業、取外したヘッドレスト本体５を保管領域に設置する作業、及び、走行用ヘッドレストと作業用ヘッドレストとの交換作業等が不要であるので好ましい。
【００５６】
他の変形例として、本発明においてはヘッドレスト本体が使用位置と退避位置との間で移動可能である限り、例えば上述した基部５３及び切欠部８等を設けること無く、第１回動軸６を当接部５１下部に近接した位置に配置変更することによって、当接部５１のみが後方に回動するようになっていても良い。
【００５７】
更に他の変形例として、本発明においては、図１〜図３に示した係止ツメ７３と固定ツメ１０との上下位置を入れ替えた形態であっても良い。つまり、係止ツメ７３が固定ツメ１０に係止状態にあるときに、係止ツメ７３が固定ツメ１０の上方から被さるようにツメ同士が噛み合う形態であっても良い。このような形態であると、解除レバー７１を回動させてヘッドレスト本体５の保持状態を解除し、更にヘッドレスト本体５を退避位置に移動させたときに、作業者Ｄが把持していた解除レバー７１を単に離すだけで、係止ツメ７３の自重によって初期位置に戻すことができる。これにより、上述した付勢部材Ｓが不要になる。
【００５８】
以上、本発明者によってなされた発明を適用した実施形態について説明したが、この実施形態による本発明の開示の一部をなす論述及び図面により、本発明は限定されることはない。すなわち、この実施形態に基づいて当業者等によりなされる他の実施形態、実施例及び運用技術等は全て本発明の範疇に含まれることは勿論であることを付け加えておく。
【符号の説明】
【００５９】
１及び１１：移動式ヘッドレスト、１００及び１０１：座席、２：座面、３：アームレスト、４：バックレスト、５：ヘッドレスト本体、５１：当接部、５２：挿入軸、５３：基部、６：第１回動軸、６０：滑動部材、６０１：案内部材、６０２：摺動部材、７：保持部材、７１：解除レバー、７２：第２回動軸、７３：係止ツメ、７０：回動ストッパ、７０１：外側ストッパ、７０２：回動軸、７０３：内側ストッパ、８及び８０：切欠部、８１及び８０１：底面部、９：規制部、１０：固定ツメ、Ｄ：作業者、Ｈ：ヘルメット、Ｓ：付勢部材
【図１】
2016120763.tif 000003
【図２】
2016120763.tif 000004
【図３】
2016120763.tif 000005
【図４】
2016120763.tif 000006